(57)【要約】【課題】回転操作部材の操作状態の検出精度の低下を招くことなく、電子機器の低コスト化及び小型化を図りつつ、ユーザに帯電した静電気が回転操作部材を通って回路基板の実装部品に放電されるのを回避する仕組みを提供する。【解決手段】電子機器は、機器本体に対して回転操作可能に支持される回転操作部材の裏面側に同軸に固定され、径方向に突出する凸部３２が周方向に複数設けられた電極部材３０と、電極部材３０に対して軸方向に非接触で対向配置され、凸部３２に対応する位置に検出用電極４２が回転操作部材の回転方向に沿って等間隔で複数設けられると共に、検出用電極４２の内周側に基準電極４４が周方向に沿って設けられた回路基板４０と、回転操作部材の回転操作時に、凸部３２と検出用電極４２との間に発生する静電容量の変化を検出する検出手段４５とを備える。そして、基準電極４４の一部が露出する切欠き部３４を電極部材３０に形成し、切欠き部３４のエッジを基準電極４４に対して近接配置する。【選択図】図５
2012199209.tif 000002
【特許請求の範囲】
【請求項１】
機器本体に対して回転操作が可能に支持される回転操作部材と、
前記回転操作部材の裏面側に前記回転操作部材と同軸に固定され、径方向に突出する凸部が周方向に複数箇所設けられた電極部材と、
前記電極部材に対して軸方向に非接触で対向配置され、前記凸部に対応する位置に前記凸部の数より多い数の検出用電極が前記回転操作部材の回転方向に沿って複数箇所設けられるとともに、前記検出用電極の外周側又は内周側に基準電極が周方向に沿って設けられた回路基板と、
前記回転操作部材が回転操作され際に、前記電極部材の前記凸部と前記回路基板の前記検出用電極との間に発生する静電容量の変化を検出する静電容量検出手段と、を備え、
前記基準電極の一部が露出する切欠き部を前記電極部材に形成して、前記切欠き部のエッジを前記基準電極に対して近接して配置したことを特徴とする電子機器。
【請求項２】
機器本体に回転操作が可能に支持される回転操作部材と、
前記回転操作部材の裏面側に前記回転操作部材と同軸に固定され、径方向に突出する凸部が周方向に複数箇所設けられた電極部材と、
前記電極部材に対して軸方向に非接触で対向配置され、前記凸部に対応する位置に前記凸部の数より多い数の検出用電極が前記回転操作部材の回転方向に沿って複数箇所設けられるとともに、前記検出用電極の外周側又は内周側に基準電極が周方向に沿って設けられた回路基板と、
前記回転操作部材が回転操作され際に、前記電極部材の前記凸部と前記回路基板の前記検出用電極との間に発生する静電容量の変化を検出する静電容量検出手段と、を備え、
前記基準電極の一部に導電性部材を設けて、前記電極部材に対して前記導電性部材を前記基準電極に比べて接近させて配置したことを特徴とする電子機器。
【請求項３】
前記導電性部材は、前記基準電極に塗布した半田であることを特徴とする請求項２に記載の電子機器。
【請求項４】
前記基準電極は、前記検出用電極の内周側に設けられ、前記凸部は、前記電極部材の外周部から径方向外方に突出して設けられることを特徴とする請求項１乃至３のいずれか一項に記載の電子機器。
【発明の詳細な説明】
【技術分野】
【０００１】
本発明は、回転操作部材を備えるデジタルカメラ等の電子機器に関する。
【背景技術】
【０００２】
デジタルカメラ等の電子機器では、回転操作部材に、基準電極を設け、回転操作部材の裏面側に設けた回路基板に、複数の検出用電極を回転操作部材の回転方向に沿って略等間隔で配置したものがある。
【０００３】
そして、回転操作部材の回転操作に応じた検出用電極の静電容量の変化に基づき、回転操作部材の操作状態を検出している。
【０００４】
しかし、このような電子機器では、回転操作部材を操作する際に、ユーザに帯電した静電気が回転操作部材を通って回路基板に実装された部品に放電され、実装部品に悪影響を及ぼす。
【０００５】
そこで、回路基板上に信号検出用パターン及び静電気放電用パターン上を設け、各電極パターンを回転操作部材に設けた摺動子が摺動することで、回転操作部材の操作状態を検出するとともに、静電気を回路基板外へ放電する技術が提案されている（特許文献１）。
【０００６】
また、帯電防止加工を施した樹脂シートを操作部材と回路基板との間に配設することで、ユーザに帯電した静電気が操作部材を通って回路基板の実装部品に放電されるのを回避する技術が提案されている（特許文献２）。
【先行技術文献】
【特許文献】
【０００７】
【特許文献１】特開２０１０−１６１０１９号公報
【特許文献２】特開２００１−４３７６４号公報
【発明の概要】
【発明が解決しようとする課題】
【０００８】
しかし、上記特許文献１では、各電極パターンを摺動子が摺動することで、経時的に各電極パターン及び摺動子の摩耗が進行するため、回転操作部材の操作状態の検出精度が低下するおそれがある。
【０００９】
また、上記特許文献２では、帯電防止加工を施した樹脂シートが必要となるため、部品点数が増加して、機器の低コスト化及び小型化を妨げる原因になる。
【００１０】
そこで、本発明は、回転操作部材の操作状態の検出精度の低下を招くことなく、電子機器の低コスト化及び小型化を図りつつ、ユーザに帯電した静電気が回転操作部材を通って回路基板の実装部品に放電されるのを回避する仕組みを提供することを目的とする。
【課題を解決するための手段】
【００１１】
上記目的を達成するために、本発明の電子機器は、機器本体に対して回転操作が可能に支持される回転操作部材と、前記回転操作部材の裏面側に前記回転操作部材と同軸に固定され、径方向に突出する凸部が周方向に複数箇所設けられた電極部材と、前記電極部材に対して軸方向に非接触で対向配置され、前記凸部に対応する位置に前記凸部の数より多い数の検出用電極が前記回転操作部材の回転方向に沿って複数箇所設けられるとともに、前記検出用電極の外周側又は内周側に基準電極が周方向に沿って設けられた回路基板と、前記回転操作部材が回転操作され際に、前記電極部材の前記凸部と前記回路基板の前記検出用電極との間に発生する静電容量の変化を検出する静電容量検出手段と、を備え、前記基準電極の一部が露出する切欠き部を前記電極部材に形成して、前記切欠き部のエッジを前記基準電極に対して近接して配置したことを特徴とする。
【００１２】
本発明の電子機器は、機器本体に回転操作が可能に支持される回転操作部材と、前記回転操作部材の裏面側に前記回転操作部材と同軸に固定され、径方向に突出する凸部が周方向に複数箇所設けられた電極部材と、前記電極部材に対して軸方向に非接触で対向配置され、前記凸部に対応する位置に前記凸部の数より多い数の検出用電極が前記回転操作部材の回転方向に沿って複数箇所設けられるとともに、前記検出用電極の外周側又は内周側に基準電極が周方向に沿って設けられた回路基板と、前記回転操作部材が回転操作され際に、前記電極部材の前記凸部と前記回路基板の前記検出用電極との間に発生する静電容量の変化を検出する静電容量検出手段と、を備え、前記基準電極の一部に導電性部材を設けて、前記電極部材に対して前記導電性部材を前記基準電極に比べて接近させて配置したことを特徴とする。
【発明の効果】
【００１３】
本発明によれば、回転操作部材の操作状態の検出精度の低下を招くことなく、電子機器の低コスト化及び小型化を図りつつ、ユーザに帯電した静電気が回転操作部材を通って回路基板の実装部品に放電されるのを回避することができる。
【図面の簡単な説明】
【００１４】
【図１】本発明の電子機器の実施形態の一例であるデジタルカメラにおける回転操作ダイアルを含む操作ユニットの取付部分の断面図である。
【図２】図１に示す操作ユニットの分解斜視図である。
【図３】回路基板をダイアル電極板と軸方向に対向する側から見た図である。
【図４】ダイアル電極板を軸方向から見た図である。
【図５】回路基板とダイアル電極板との位置関係を説明するための図である。
【発明を実施するための形態】
【００１５】
以下、本発明の実施形態の一例を図面を参照して説明する。
【００１６】
図１は本発明の電子機器の実施形態の一例であるデジタルカメラにおける回転操作ダイアルを含む操作ユニットの取付部分の断面図、図２は図１に示す操作ユニットの分解斜視図である。
【００１７】
図１及び図２に示すように、カメラ本体１に保持されたダイアルベース２４には、回転操作ダイアル２０が回転操作が可能に支持されている。ダイアルベース２４及び回転操作ダイアル２０は、絶縁材で形成されている。カメラ本体１とダイアルベース２４との間は、シール材２１によりシールされている。ここで、カメラ本体１は、本発明の機器本体の一例に相当する。
【００１８】
ダイアルベース２４の内周部には、周方向に沿って凹凸形状部が形成されている。凹凸形状部の凹部には、ボール２７が嵌め込まれており、ボール２７は、ボール２７と回転操作ダイアル２０との間に配置されたコイルばね２６によりダイアルベース２４側に押し付けられている。これにより、回転操作ダイアル２０の回転操作時にクリック感が付与される。
【００１９】
また、回転操作ダイアル２０の裏面側には、金属板等の導電材で形成されるダイアル電極板３０がビス等により回転操作ダイアル２０と略同軸に固定されており、ダイアル電極板３０は、回転操作ダイアル２０と一体となって回転可能とされている。ここで、回転操作ダイアル２０は、本発明の回転操作部材の一例に相当し、ダイアル電極板３０は、本発明の電極部材の一例に相当する。
【００２０】
回転操作ダイアル２０の中央部には、押圧ボタン１０が押し操作可能に支持されており、押圧ボタン１０と回転操作ダイアル２０との間は、絶縁材で形成されたダイアルカバー２２で仕切られている。
【００２１】
押圧ボタン１０の軸部と回転操作ダイアル２０との間には、ボタンブーツ１１及びボタンブーツベース１２が設けられており、ボタンブーツベース１２は、両面テープ１３等を介して回転操作ダイアル２０に固定されている。
【００２２】
また、押圧ボタン１０の軸部の先端には、ボタンストッパー１４がビス等によって固定されている。かかる固定により、ボタンブーツ１１が弾性変形し、押圧ボタン１０と回転操作ダイアル２０との隙間が塞がれてシールされる。
【００２３】
そして、押圧ボタン１０を押し操作すると、絶縁材で形成された弾性変形可能なボタンスイッチラバー１６の側壁が弾性変形し、中央部に設けられた導電体１６ａがフレキシブルプリント配線基板４６に形成されたスイッチパターンに接触する。これにより、押圧ボタン１０の押し操作を検出することが出来る。
【００２４】
フレキシブルプリント配線基板４６は、基板受け板３６に固定されており、基板受け板３６は、ダイアルベース２４にビス等により固定されている。
【００２５】
基板受け板３６には、ダイアルピン１８が加締め等によって固定されている。ダイアルピン１８は、ボタンスイッチラバー１６を介してボタンストッパー１４に形成された不図示の切欠きに挿入される。これにより、回転操作ダイアル２０を回転操作した際に、押圧ボタン１０が回転するのを防止することが出来る。
【００２６】
ダイアルスペーサ２８は、ダイアルリング２９が所定量圧縮されるような板厚に設定されている。回転操作ダイアル２０、ダイアルベース２４、及びダイアル電極板３０の間にダイアルリング２９を配設することにより、回転操作ダイアル２０とダイアル電極板３０との隙間が塞がれてシールされる。
【００２７】
また、カメラ本体１には、回路基板４０がダイアル電極板３０に対して軸方向に非接触で対向した状態で固定されている。回路基板４０には、回転操作ダイアル２０の操作状態を検出するための検出用電極４２（図３参照）と基準電位となる基準電極４４とが形成されている。
【００２８】
次に、図３〜図５を参照して、回路基板４０、及びダイアル電極板３０について説明する。
【００２９】
図３は回路基板４０をダイアル電極板３０と軸方向に対向する側から見た図、図４はダイアル電極板３０を軸方向から見た図、図５は回路基板４０とダイアル電極板３０との位置関係を説明するための図である。
【００３０】
図３に示すように、回路基板４０の中央部には、回転操作ダイアル２０の回転軸と略同心の穴４１が形成されている。
【００３１】
穴４１の周囲には、検出用電極４２が回転操作ダイアル２０の回転方向に沿って略等間隔で複数箇所設けられ、検出用電極４２の内周側には、基準電位としてグランドが設定される基準電極４４が周方向全周に沿って設けられている。
【００３２】
また、回路基板４０には、静電容量検出用ＩＣ４５が実装され、静電容量検出用ＩＣ４５は、複数の検出用電極４２と配線パターンを介して電気的に接続されている。
【００３３】
一方、図４に示すように、ダイアル電極板３０の外周部には、径方向外方に突出する凸部３２が周方向に略等間隔で複数箇所設けられている。凸部３２は、回路基板４０の検出用電極４２に対応する形状とされて、検出用電極４２に対して軸方向に非接触で対向配置される。
【００３４】
検出用電極４２の数は、凸部３２の数より多く、本実施形態では、検出用電極４２の数を２０とし、凸部３２の数を５としている。
【００３５】
また、ダイアル電極板３０の外周部において、周方向に互いに隣り合う各凸部３２の間には、径方向内側に向けて凹状に切り欠かれた切欠き部３４が形成されている。図５に示すように、切欠き部３４には、基準電極４４の一部が露出しており、これにより、切欠き部３４のエッジが基準電極４４に近接配置されている。
【００３６】
回路基板４０に配置された複数の検出用電極４２のうち、ダイアル電極板３０の凸部３２が対向する検出用電極４２は、凸部３２が対向しない検出用電極４２に比べて静電容量が大きく変化するようになっている。
【００３７】
回転操作ダイアル２０を回転操作すると、ダイアル電極板３０の凸部３２と回路基板４０の検出用電極４２との間に発生する静電容量が変化する。そして、この変化量を静電容量検出用ＩＣ４５が検出することで、回転操作ダイアル２０の操作状態（回転角）を検出することができる。
【００３８】
ところで、回転操作ダイアル２０を回転操作する際、ユーザに帯電していた静電気が回転操作ダイアル２０に放電された場合、その静電気は、部材の先鋭形状のエッジや導電性部材のすき間を流れやすい性質がある。
【００３９】
ここで、本実施形態では、上述したように、グランドとなる基準電極４４に対してダイアル電極板３０に形成した切欠き部３４のエッジが近接配置されている。従って、ユーザから回転操作ダイアル２０に放電された静電気は、ダイアル電極板３０を通った後、切欠き部３４のエッジから基準電極４４に流れて接地される。
【００４０】
また、本実施形態では、基準電極４４の一部に半田を塗布して、半田部の先端を基準電極４４に比べてダイアル電極板３０に接近させて配置している。従って、ユーザから回転操作ダイアル２０に放電された静電気は、ダイアル電極板３０を通った後、ダイアル電極板３０と半田部とのすき間を介して半田部から基準電極４４に流れて接地される。
【００４１】
以上説明したように、本実施形態では、検出用電極４２とダイアル電極板３０の凸部３２とが非接触であるため、経時的に検出用電極４２及び凸部３２の摩耗が進行することはなく、回転操作ダイアル２０の操作状態の検出精度の低下を回避することができる。
【００４２】
また、本実施形態では、回路基板４０とダイアル電極板３０との間に、帯電防止加工を施した樹脂シートを配置する必要がないため、部品点数が増加することがなく、デジタルカメラの低コスト化及び小型化を図ることができる。
【００４３】
更に、本実施形態では、ユーザから回転操作ダイアル２０に放電された静電気は、ダイアル電極板３０を通った後、切欠き部３４のエッジや基準電極４４に塗布した半田部から基準電極４４に流れて接地される。これにより、ユーザに帯電した静電気が回転操作ダイアル２０及びダイアル電極板３０を通ってダイアル電極板３０の凸部３２の先端エッジから回路基板４０の実装部品に放電されるのを回避することができる。
【００４４】
なお、本発明の構成は、上記実施形態に例示したものに限定されるものではなく、材質、形状、寸法、形態、数、配置箇所等は、本発明の要旨を逸脱しない範囲において適宜変更可能である。
【００４５】
例えば、上記実施形態では、検出用電極４２の内周側に基準電極４４を配置した場合を例示したが、検出用電極４２の外周側に基準電極４４を配置した場合においても適用可能である。
【００４６】
また、上記実施形態では、基準電極４４の一部に半田を塗布した場合を例示したが、導電性接着剤等を用いて金属板等の導電性部材を基準電極４４の一部に貼付する等しても構わない。
【符号の説明】
【００４７】
１  カメラ本体
１０  押圧ボタン
２０  回転操作ダイアル
３０  ダイアル電極板
３２  凸部
３４  切欠き部
４０  回路基板
４２  検出用電極
４４  基準電極
４５  静電容量検出用ＩＣ
【図１】
2012199209.tif 000003
【図２】
2012199209.tif 000004
【図３】
2012199209.tif 000005
【図４】
2012199209.tif 000006
【図５】
2012199209.tif 000007